(57)【要約】【課題】電力供給停止時に、可及的に小さな制動力でロール紙の回転を停止させる。【解決手段】ロール紙供給装置３のロール紙５を回転可能に支持するロール紙支持機構２２と、ロール紙５の回転を停止させるためのブレーキ機構２７と、を有し、ブレーキ機構２７は、本体装置１への電源の供給が停止したときロール紙５の外周面５ｂへ摩擦抵抗を付与してロール紙５の回転を停止させる。【選択図】図１
2011079651.tif 000002
【特許請求の範囲】
【請求項１】
ロール紙を回転可能に支持するロール紙支持機構と、
前記ロール紙の回転を停止させるためのブレーキ機構と、
を有し、
該ブレーキ機構は、本体装置への電源の供給が停止したとき前記ロール紙の外周面へ摩擦抵抗を付与して前記ロール紙の回転を停止させる、
ことを特徴とするロール紙供給装置。
【請求項２】
前記ロール紙支持機構は、
前記ロール紙を支持するロール紙支持部と、
該ロール紙支持部に支持される前記ロール紙の変化する外径に応じて前記ロール紙支持部を昇降させる回動桿と、
を有し、
前記ブレーキ機構は、
前記回動桿に沿って昇降可能に配置された少なくとの１個のブレーキローラと、
該ブレーキローラを待機位置とブレーキ位置との間で前記ロール紙の変化する外径に応じた付勢力で前記ロール紙の外周面方向に付勢する付勢部材と、
前記ブレーキローラを、供給中は前記待機位置に停止させ、装置への電源の供給が停止したとき前記待機位置から開放するブレーキローラ制御機構と、
を有し、
前記ブレーキローラは、前記待機位置から開放されたとき、前記付勢部材の付勢力に応じて前記回動桿に沿って前記ブレーキ位置に移動し、前記ロール紙の外周面に圧接して前記ロール紙の回転を停止させる、
ことを特徴とする請求項１記載のロール紙供給装置。
【請求項３】
前記ブレーキローラ制御機構は、
前記回動桿の所定の位置に固定されたソレノイドと、
該ソレノイドの通電時は該ソレノイドの外方に進出し、該ソレノイドの非通電時は付勢部材の付勢力を受けてソレノイドの内方に退入するピンと、
前記ブレーキローラ側に配置され常に前記ピンと係合する方向へ付勢されているフック部材と、
を有し、
前記ピンを前記ソレノイドの外方に進出させて前記ピンと前記フック部材とを係合させて前記ブレーキローラを前記待機位置に停止させ、前記ピンを前記ソレノイドの内方に退入力させて前記ピンと前記フック部材との係合を解除して前記ブレーキローラを前記待機位置から開放する、
ことを特徴とする請求項２記載のロール紙供給装置。
【請求項４】
前記ブレーキローラは、前記ロール紙の画像形成される領域よりも外側の両縁部に対応して２個配置される、
ことを特徴とする請求項２又は３記載のロール紙供給装置。
【請求項５】
前記ブレーキローラは、前記ブレーキ機構の中央部を支点に回動可能に２個配置され、該２個のブレーキローラは、前記待機位置に停止しているときは係止部材により前記ブレーキ機構の外方に回動した状態で固定され、前記待機位置から開放されたときは付勢部材の付勢力により前記ブレーキ機構の内方に所定の位置まで回動する、
ことを特徴とする請求項２又は３記載のロール紙供給装置。
【請求項６】
前記２個のブレーキローラに掛け渡された無端ベルトと、
該無端ベルトを常にベルト外側に付勢して前記２個のブレーキローラ間に張設する付勢部材と、
を更に有することを特徴とする請求項５記載のロール紙供給装置。
【請求項７】
前記ロール紙支持機構は、前記ロール紙を支持するロール紙支持部と、該ロール支持部に支持される前記ロール紙の変化する外径に応じて前記ロール支持部を昇降させる回動桿と、該回動桿を電源非供給時において駆動可能は補助電源と、を少なくとも有し、
前記ブレーキ機構は、前記ロール支持機構により支持される前記ロール紙の下方に配置され、少なくとの２個のブレーキローラと、該２個のブレーキローラに掛け渡された無端ベルトと、該無端ベルトを常にベルト外側に付勢して前記２個のブレーキローラ間に張設する付勢部材と、を有し、
装置への電源が供給中で前記ロール紙が供給中であるときは、前記ロール紙支持機構は、前記ロール紙の下部外周面を前記２個のブレーキローラ間に張設された前記無端ベルトから離間した位置に維持するよう前記ロール紙を支持し、
装置への電源の供給が停止したときは、前記ロール紙支持機構は、前記補助電源により前記回動桿を駆動して前記ロール紙の下部外周面が前記無端ベルトに当接し、該無端ベルトを介して更に前記ロール紙の下部外周面が前記２個のブレーキローラに圧接するまで前記ロール紙支持部を降下させ、
前記ブレーキ機構は、前記無端ベルト及び前記２個のブレーキローラにより前記ロール紙の下部外周面に摩擦抵抗力を付与して前記ロール紙の回転を停止させる、
ことを特徴とする請求項１記載のロール紙供給装置。
【請求項８】
前記ブレーキローラはトルクリミッタ等により回転力を抑制制御される、ことを特徴とする請求項２乃至７のいずれか１項に記載のロール紙供給装置。
【請求項９】
請求項１乃至８のいずれかの項に記載のロール紙供給装置を有していることを特徴とする画像記録装置。
【発明の詳細な説明】
【技術分野】
【０００１】
本発明は、ロール紙を回転可能に支持し、画像記録装置の印刷部などに向けて供給するロール紙供給装置、及び当該ロール紙供給装置を備えた画像記録装置に関する。さらに詳しくは、電力供給停止時にロール紙の回転を可及的に小さな力で停止させることができるロール紙供給装置、及び当該ロール紙供給装置を備えた画像記録装置に関する。
【背景技術】
【０００２】
従来、ロール紙を回転可能に支持し、そのロール紙を印刷装置に供給する供給装置がある。このような供給装置には、印刷装置へのロール紙の供給を緊急停止するとき（電力供給停止時）に、ロール紙の回転を制動するためのブレーキ機構が設けられている。
【０００３】
例えば、特許文献１では、巻取紙（ロール状連続紙）を支持するコーン軸にエアーブレーキを設け、このエアーブレーキにロール紙の巻径の変化に合せて圧力調整された圧縮空気を供給することによって、ロール紙の回転を停止させる構成が提案されている。
【先行技術文献】
【特許文献】
【０００４】
【特許文献１】特開平０４−１５３１５９号公報
【発明の概要】
【発明が解決しようとする課題】
【０００５】
しかしながら、特許文献１に示されるロール紙の緊急停止は、ロール紙の中心に挿入された軸を使用して回転を停止させるようにしている。つまり、ロール紙の回転慣性力のトルクが最も大きく働く回転中心部でロール紙の回転を停止させるようにしている。そのため、ロール紙の回転を停止させるのには非常に大きなブレーキ力が必要となるという課題がある。
【０００６】
そこで、本発明は、電力供給停止時に可及的に小さな制動力でロール紙の回転を停止させることができるロール紙供給装置、及び当該ロール紙供給装置を備えた画像記録装置を提供することを目的とする。
【課題を解決するための手段】
【０００７】
上記の課題を解決するために、本発明のロール紙供給装置は、ロール紙を回転可能に支持するロール紙支持機構と、ロール紙の回転を停止させるためのブレーキ機構と、を有し、該ブレーキ機構は、本体装置への電源の供給が停止したときロール紙の外周面へ摩擦抵抗を付与してロール紙の回転を停止させる、ことを特徴とする。
【発明の効果】
【０００８】
本発明は、電力供給停止時に、可及的に小さな制動力でロール紙の回転を停止させることができるという効果を奏する。
【図面の簡単な説明】
【０００９】
【図１】本発明の実施例１に係るロール停止機構を有するロール紙供給装置を備えた画像記録装置の全体正面図である。
【図２】本発明の実施例１に係るロール紙供給装置の図１のＸ矢視図である。
【図３Ａ】本発明の実施例１に係るロール紙供給装置のブレーキ機構の印刷時の状態を示す図である。
【図３Ｂ】本発明の実施例１に係るロール紙供給装置のブレーキ機構のブレーキ動作後の状態を示す図である。
【図４】本発明の実施例１に係るロール紙供給装置のブレーキ機構の一部分を詳細に示す図である。
【図５】本発明の実施例１に係るロール紙供給装置のブレーキ機構の側面図である。
【図６】本発明の実施例１に係るロール紙供給装置のロール紙が小さくなった場合の状態を示す図である。
【図７】本発明の実施例１の変形例に係るロール紙供給装置のブレーキ機構の側面図である。
【図８】本発明の実施例２に係るロール紙供給装置のブレーキ機構の正面拡大図である。
【図９】本発明の実施例２の変形例に係るロール紙供給装置のブレーキ機構の正面拡大図である。
【図１０】本発明の実施例３に係るロール紙供給装置の全体正面図である。
【発明を実施するための形態】
【００１０】
以下、本発明の実施の形態について、詳細に説明する。
【実施例１】
【００１１】
図１は、本発明の実施例１に係るロール停止機構を有するロール紙供給装置を備えた画像記録装置の全体正面図である。
【００１２】
図２は、本発明の実施例１に係るロール紙供給装置の図１のＸ矢視図である。
図１に示すように、画像記録装置１は、プリンタ本体２とロール紙供給装置３と排出装置４とで構成されている。
【００１３】
プリンタ本体２は、ロール紙供給装置３から供給されたロール紙５ロール紙５の巻き癖を除去するための巻き癖除去装置６と、ロール紙５にインクを吐出してロール紙５に画像を形成するヘッド部７（７ａ、７ｂ）と、ヘッド部７の清掃を行なうクリーニング部８（８ａ、８ｂ）と、ドラム９（９ａ、９ｂ）及び複数のローラ１０で構成されてロール紙５を搬送する搬送部と、を有している。
【００１４】
なお、本発明の実施例では、ロール紙５の両面に画像記録を可能とするために、ヘッド部７、クリーニング部８、及びドラム９が、それぞれ２個（７ａ、７ｂ、８ａ、８ｂ、９ａ、９ｂ）配置されている。これら各部はプリンタ本体２内の図示しないフレームに支持されている。
【００１５】
排出装置４は、ロール紙５を所望の寸法に切断するカッターユニット１１と、切断されたロール紙（切断後はシート状記録媒体）を収納する収納ユニット１２と、で構成されている。
【００１６】
ロール紙供給装置３は、架台１３、架台１３上に載直されたモータ１４、ヒンジ１５によって架台１３に固着されたシリンダ１６、シリンダ１６に装着されたシリンダ軸１７とで構成される直動式シリンダ機構１８を有している。この直動式シリンダ機構１８のシリンダ軸１７は、モータ１４により駆動されて図１中矢印Ａ方向に進退する。
【００１７】
この直動式シリンダ機構１８のシリンダ軸１７の先端は、ヒンジ１９を介して回動桿Ａ２１の下端部に連結されている。回動桿Ａ２１の上端部は、ロール紙支持基台２２の一方の縁部下面に固着されたヒンジ２３に連結されている。
【００１８】
また、ロール紙支持基台２２の他方の縁部下面には、他のヒンジ２４が固着されている。このヒンジ２４には、回動桿Ｂ２５が、その長手方向に形成されたスリット２６を介して連結されている。
【００１９】
また、回動桿Ｂ２５には、後述するブレーキ機構２７が設置されている。さらに、回動桿Ｂ２５の下端部は、架台１３に固着されたヒンジ２８と連結されている。これにより、直動式シリンダ機構１８が動作してシリンダ軸１７が進退することにより、回動桿Ａ２１及び回動桿Ｂ２５は、それぞれヒンジ１９及び２８を支点にして図１中矢印Ｂ方向及び矢印Ｃ方向に回動する。
【００２０】
なお、回動桿Ｂ２５には、回動桿Ａ２１の回動移動に追従することができるような長さに形成され且つその長さに応じたスリット２６が形成されている。
【００２１】
また、ロール紙支持基台２２の縁部上面には、支持部３１が固定して設けられている。この支持部３１は、ロール紙５の中心に挿入された軸２９を不図示のベアリングを介して上下から挟みつけて支持している。
【００２２】
これによりロール紙５は、支持部３１に回転可能に支持されている。また、軸２９の一方の端部には、ギヤ３２が固設され、ギヤ３２と噛み合う位置に、他のギヤ３３が設置されている。
【００２３】
このギヤ３３には、プリンタ本体２による印刷実行時においてロール紙５に適正な張力を与えるための不図示のパウダークラッチが連結されている。このパウダークラッチにより、軸２９は回転を制御されている。なお、パウダークラッチに限ることなく、ベルトとプーリ等を介して軸２９の回転を制御するようにしてもよい。
【００２４】
また、軸２９の他方の端部には、ロール紙５の外径を測定するための不図示のエンコーダが取り付けられている。本実施例では、ロール紙５を一定の速度で引き出して搬送し、このときのエンコーダから出力される信号に基づいて、ロール紙５の外径を測定している。
【００２５】
勿論、ロール紙５の外径の測定は、エンコーダと限ることなく、例えば、ロール紙５の直径方向にセンサを配置し、このセンサの出力によってロール紙５の外径を測定するようにしてもよい。
【００２６】
なお、本実施例の画像記録装置１には、特には図示しないが、ロール紙支持基台２２を水平に保つための制御機構も搭載されている。
【００２７】
次に、ブレーキ機構２７について説明する。
図３Ａは、ロール紙支持基台２２にロール紙５が装着され、ロール紙５に対するプリンタ本体２による印刷が実行中のときにおける、ブレーキ機構２７の待機状態を示す図である。
【００２８】
図３Ｂは、ブレーキ機構２７のブレーキ動作後の状態を示す図である。
図４は、図３Ａを矢印Ｙ方向に見た図である。
図５は、図３ＡのＡ−Ａ´断面矢視図である。
【００２９】
図３Ａ、図３Ｂ、図４、図５に示すように、ブレーキ機構２７は、スライドガイド３４を介して回動桿Ｂ２５を摺動するブレーキ基台３５を有している。なお、スライドガイド３４とブレーキ基台３５は、磨耗したスライドガイド３４の交換に備えて、それぞれ別部材を用いて一体化して構成されている。
【００３０】
また、このブレーキ基台３５には、トルクリミッタ３６が配設されている。このトルクリミッタ３６は、図４、図５に示すように、ブレーキローラ３７の軸３８と連結されている。また、ブレーキローラ３７の軸３８は、ベアリング３９を介して回動桿Ｂ２５のスリット２６に嵌合している。
【００３１】
なお、ブレーキローラ３７は、ロール紙５の外周面５ｂと接触しても滑りにくいように表面加工されているか、又は滑りにくい材質で構成されている。
【００３２】
また、ブレーキ基台３５には、図３Ａ、図３Ｂに示すように、バネポスト４１が設けられている。このバネポスト４１は、引きバネ４２の一方の端部を係止している。引きバネ４２の他方の端部は、ロール紙支持基台２２の不図示のバネポストに係止している。
【００３３】
これにより、ブレーキ基台３５は、引きバネ４２によって常に図３Ａに示す矢印Ｆ方向へ付勢されている。つまり、このブレーキ基台３５に保持されているブレーキローラ３７は、常にロール紙５の外周面５ｂに向けて付勢されている。
【００３４】
さらに、ブレーキ基台３５には支持ピン４３を支点にして回動可能に配置されたフック部材４４が配設されている。フック部材４４は、支持ピン４３より下方の端部にフック部４４ａが形成され、支持ピン４３より上方の端部には引きバネ４５の一方の端部が係止している。
【００３５】
そして、引きバネ４５の他方の端部は、ブレーキ基台３５に固設されたバネポスト４６に係止している。この引きバネ４５の引き付勢力により、図３Ａ、図３Ｂにおいて、フック部材４４を反時計回りに回動する方向に付勢されている。
【００３６】
また、ブレーキ機構２７は、回動桿Ｂ２５のブレーキ基台３５よりも下方の所定の位置に固着されたフック係合基台４７を備えている。このフック係合基台４７には（以下、図５も参照）、中空六面体の一方向に連続する三面を削除した形状（略コの字型）のブラケット４８が、開口部側端部をフック係合基台４７に固定されて配設されている。
【００３７】
そして、このブラケット４８の三面の中央面外側に、直動式電磁ソレノイド４９が配設されている。直動式電磁ソレノイド４９のピストン軸５１は、ブラケット４８の中央面を貫通して、ブラケット４８の中空内を進退するように構成されている。
【００３８】
すなわち、ロール紙供給装置３がプリンタ本体２にロール紙５を供給中でロール紙５が回転しいているときは、直動式電磁ソレノイド４９は通電中であり、ピストン軸５１がブラケット４８の中空部に突出し、図３Ａに示すように、フック部材４４のフック部４４ａがピストン軸５１に係合している。
【００３９】
このとき、フック部材４４は、引きバネ４５の引き付勢力によって、ピストン軸５１との係合が外れない方向に付勢されている。これにより、ブレーキ基台３５はフック係合基台４７に係合した状態で位置固定される。また、この状態で、ブレーキ基台３５のブレーキローラ３７は、ロール紙５の外周面５ｂから離間している。
【００４０】
なお、直動式電磁ソレノイド４９の通電でブラケット４８の中空部に突出するピストン軸５１には、不図示の付勢部材が係合しており、この付勢部材の付勢によって、直動式電磁ソレノイド４９の非通電時にはピストン軸５１はソレノイド内に引き込むようになっている。
【００４１】
また、ブレーキ基台３５には、手動用レバー５２が配設されている。この手動用レバー５２は、ブレーキ基台３５を図３Ｂに示すブレーキ位置からを図３Ａに示す非ブレーキ位置に戻す時に用いられる。
【００４２】
すなわち、手動用レバー５２を持ってブレーキ基台３５を矢印ｄ方向、つまりフック係合基台４７方向に引き下げ、図３Ａ、図５に示すように、ロール紙５の外周面５ｂとブレーキローラ３７とを引き離すと共に、ブレーキ基台３５のフック部材４４をブラケット４８の中空内に進出したフック係合基台４７のピストン軸５１と係合する。
【００４３】
次に本実施例の動作について説明する。画像記録装置１に電源を通電してロール紙供給装置３に装着するロール紙５の大きさをプリンタ本体２またはロール紙供給装置３に設けた不図示の制御パネルから選択する。
【００４４】
この制御パネルからの選択入力により、不図示の制御部からの制御により、図１に示す直動式シリンダ機構１８のシリンダ軸１７が移動し、この移動に連動して回動桿Ａ２１、回動桿Ｂ２５およびロール紙支持基台２２が移動して、ロール紙支持基台２２に装着されるロール紙５の外径に合わせた最適位置に全体が移動する。
【００４５】
画像記録開始指令により、ドラム９ａ、９ｂ及び複数のローラ１０により、ロール紙５を下流へと搬送すると共に、巻き癖除去装置６によって巻き癖が除去し、外部から与えられた画像情報に基づく画像が、ヘッド部７ａ及び７ｂによって記録される。
【００４６】
画像を記録されたロール紙５は、カッターユニット１１により所望の寸法に切断され、切断されたロール紙５を収納ユニット１２に収納する。
【００４７】
印刷された（画像が記録された）ロール紙５に、例えば白筋などのインク吐出不良箇所が発見された場合は、ヘッド部７ａおよび７ｂが上昇し、ヘッド部７ａおよび７ｂとドラム９ａおよび９ｂの間に挿入されたクリーニング部８ａおよび８ｂがヘッド部７ａおよび７ｂに当接してノズル回復動作が実施される。
【００４８】
印刷が実施されている間、ロール紙５は、軸２９を中心に回転し、プリンタ本体２へロール紙５を供給している。軸２９の端部に設けられたギヤ３２とそれに噛みあうギヤ３３およびギヤ３３に固着されている不図示のパウダークラッチにより、ロール紙５には逐次検出されるロール紙５の外径に合わせた適正な張力が与えられている。
【００４９】
図６は、ロール紙５への画像形成が継続され、ロール紙５の消費が進んでロール紙５の外径が逐次小さくなっていく場合の状態を示す図である。
【００５０】
画像記録装置１における印刷が続き、ロール紙５の外径が小さくなると、ロール紙５の外径に合わせて、直動式シリンダ機構１８のシリンダ軸１７がモータ１４によって矢印Ａで示す図の右方向に移動し、シリンダ軸１７の先端に固着されているヒンジ１９が移動し、回動桿Ａ２１が矢印Ｂで示す架台１３方向に回動する。
【００５１】
ロール紙支持基台２２に固着されているヒンジ２４には回動桿Ｂ２５のスリット２６が嵌合しており、回動桿Ｂ２５はヒンジ２４に誘導され回動桿Ａ２１に連動して矢印Ｃで示すように架台１３方向に回動する。
【００５２】
これにより、支持部３１やパウダークラッチなどが搭載されているロール紙支持基台２２が矢印Ｄで示すように架台１３方向に下降する。
【００５３】
印刷時は、回動桿Ｂ２５に固着されている図３Ａ，図３Ｂ、図５に示す直動式電磁ソレノイド４９のピストン軸５１が繰り出された状態にあり、このピストン軸５１に、ブレーキ基台３５に配設されているフック部材４４のフック部４４ａが係合し、引きバネ４５で係合方向に付勢されていることにより、フック部４４ａとピストン軸５１との係合が維持されている。
【００５４】
また、ブレーキ基台３５は、図３Ａ及び図５に示したように、ブレーキ基台３５とロール紙支持基台２２とに両端が係止されている引きバネ４２により、図３Ａに矢印Ｙで示すように、ロール紙５の外周面５ｂに向けて引き付けられる付勢力を受けている。
【００５５】
次に、電源の供給が停止したとき（電力供給停止時）の動作について説明する。ここで、電源の供給が停止したとき（電力供給停止時）とは、停電したとき、又は装置異常によって緊急停止ボタンが押されたときなどである。
【００５６】
なお、本発明に係る画像記録装置１においては、緊急停止ボタンが押されたときは装置に電気を供給しないようにしている。つまり緊急停止ボタンが押されたとき、装置は停電時と同じ状態になる。
【００５７】
電源の供給が停止したときには、画像記録装置１の全ての電源の供給が停止するため直動式電磁ソレノイド４９も非通電状態になる。本実施例の直動式ソレノイド４９は非通電時にはピストン軸５１がソレノイド内に退入するため、図３Ｂに示したように、ピストン軸５１とフック部材４４との係合が解除される。
【００５８】
これにより、引きバネ４２の引き付勢力により、ロール紙支持基台２２方向に付勢されていたブレーキ基台３５がスライドガイド３４を介して回動桿Ｂ２５に沿ってロール紙５の方向へ移動する。
【００５９】
ブレーキ基台３５が移動すると、ブレーキ基台３５にベアリング３９を介して保持されているブレーキローラ３７が回動桿Ｂ２５のスリット２６内を移動し、ロール紙５の外周面５ｂに当接する。ブレーキローラ３７は当接後も引きバネ４２により引張り付勢力を受けているため、ロール紙５の外周面５ｂに密着している。
【００６０】
密着したブレーキローラ３７は、引きバネ４２の引張力とブレーキローラ３７の端部に配設されているトルクリミッタ３６によって回転力が抑制されているため、引きバネ４２の引張力だけのときよりもロール紙５の回転を早く停止させることができる。
【００６１】
トルクリミッタ３６によるトルク抑止力の程度は、ロール紙５の外周面５ｂに傷や破断などを生じさせない設定になっている。これにより、ロール紙５は電源の供給停止時からロール紙５の１ｍ以内の繰り出しの範囲で停止する。
【００６２】
電源供給停止後のロール紙５の繰り出し量の１ｍ以内という長さは、ロール紙５が床に擦れず、且つ装置の隙間に入り込まない長さであるが、この長さはロール紙供給装置３の大きさや構造によって決定される。
【００６３】
電源が復帰すると、作業者が、図３Ｂに示した手動用レバー５２を手に持って、ブレーキ基台３５を、回動桿Ｂ２５のスリット２６に沿って矢印ｄで示す下方へ引きおろす。
【００６４】
電源復帰により直動式電磁ソレノイド４９に通電されたことにより、ピストン軸５１がブラケット４８の中空部に進出している。そのピストン軸５１にブレーキ基台３５のフック部材４４のフック部４４ａが係合する。係合後は、引きバネ４５の引張力により、フック部４４ａは常にピストン軸５１に当て付いて係合が維持される。
【００６５】
ブレーキローラ３７およびブレーキ基台３５が図３Ａ及び図５に示した待機状態になると、印刷が開始可能となる。前述したが、図６に示したように、ロール紙５の外径が小さくなると、シリンダ軸１７が矢印Ａ方向に縮み、回動桿Ａ２１を回動させることによりロール紙支持基台２２は矢印Ｄ方向に降下する。
【００６６】
ロール紙支持基台２２が矢印Ｄ方向に降下したことにより、ロール紙支持基台２２とブレーキ基台３５の間の距離がより近くなる。したがって、電源供給停止時にブレーキローラ３７がロール紙５の外周面５ｂに当接したときのロール紙支持基台２２とブレーキローラ３７との間隔となる図３Ａに示した距離Ｅも、ロール紙５の外径が大きかったときよりも小さくなる。
【００６７】
つまり、引きバネ４２の引張力が弱くなり、ブレーキローラ３７がロール紙５の外周面５ｂを押さえる力も小さくなるため、ロール紙５の外径に合わせた最適な力でロール紙５の回転を停止させることができる。
【００６８】
上述した実施例１の構成にあっては以下の効果を奏する。
ロール紙の中心（軸）で回転を停止させるのではなく、慣性トルクの一番弱いロールの外周面を押えるため、少ない押圧力でロールの回転を停止させることができる。
【００６９】
ロールの外径の変化に応じて押圧力を変動させているので、常に適正な押圧力でロールの回転を停止させることができ、ロールの表面に発生しやすい皺や破れを低減させることができる。
【００７０】
ロール紙の外径が小さくなるとロール紙支持基台が下降するので、次のロール紙の装着が容易になる。例えば、直径が５０×２．５４ｃｍで重量が３００ｋｇもあるようなロール紙を装着するには、持ち上げるのは大変な作業であるが、ロール紙支持基台が下降しているとロール紙を床に転がしながらロール紙支持基台まで運び、ロール紙の中心に軸２９を挿入してロール紙支持基台に装着することができる。
【００７１】
ロール紙の回転を停止させるブレーキ機構に油圧や空気圧を使用しないので、電源供給停止時のために油圧や空気圧を蓄えておく貯留装置が不要であって装置全体の構成が簡便にできる。
【００７２】
電磁ソレノイドと付勢部材のみでブレーキ機構を制御するため、コンデンサ等で電力を蓄えておく必要がなく、電気回りの部材を低減できる。
（実施例１の変形例）
【００７３】
図７は、本発明の実施例１の変形例に係るロール紙供給装置のブレーキ機構の側面図である。なお、図７に示すブレーキ機構以外のロール紙供給装置の各部の構成及びその動作は、図１乃至図４及び図６に示した構成及び動作と同一である。また、図７には、実施例１の構成と同一構成部分には図１乃至図４及び図６に示した番号と同一の番号を付与して示している。
【００７４】
図７に示すように、本変形例では、前述した実施例１のブレーキローラ３７を分割して、ブレーキローラ３７ａ及びブレーキローラ３７ｂとし、これらのブレーキローラ３７ａ及び３７ｂにより、ロール紙５の印刷領域外となる外周面５ｃ及び５ｄを押圧するようにしている。
【００７５】
この実施例１の変形例によれば、実施例１の作用・効果に加えて、ロールの印刷領域外の外周面を押さえるので、印字領域部に埃や汚れなどが付着しないという効果を奏する。
【実施例２】
【００７６】
図８は、本発明の実施例２に係るロール紙供給装置のブレーキ機構の正面拡大図である。なお、図８には、図３Ａに示した構成と同一の構成部分には図３Ａと同一の番号を付与して示している。また、図８に示すブレーキ機構以外のロール紙供給装置の各部の構成及びその動作は、図１、図２及び図６に示した構成及び動作と同一である。
【００７７】
図８に示すように、実施例２に係るブレーキ機構２７は、回動桿Ｂ２５に固設されたフック係合基台４７の構成及びこのフック係合基台４７に係合又は係合解除されるブレーキ基台３５ａのフック部材４４の構成は、実施例１の場合と同様である。
【００７８】
ブレーキ基台３５ａが、図４に示したスライドガイド３４を介して回動桿Ｂ２５に摺動可能に配置されている点も実施例１の場合と同様であるが、ブレーキ基台３５ａそのものの構成は実施例１の場合とやや異なる。
【００７９】
すなわち、この実施例２においては、２本のブレーキローラ５３（５３ａ、５３ｂ）がブレーキ基台３５ａの左右に分かれた形態で、回動支持部材５４（５４ａ、５４ｂ）の一端に軸支されるローラ軸５５（５５ａ、５５ｂ）により支持されている。
【００８０】
回動支持部材５４の他端は、ブレーキ基台３５ａに固着された共通の回動支点となる支持軸５６に外嵌し、不図示のＥリング等により脱落しないよう支持軸５６に回動可能に保持されている。
【００８１】
回動支持部材５４（５４ａ、５４ｂ）にはバネポスト５７（５７ａ、５７ｂ）が固着され、ブレーキ基台３５ａにはバネポスト５８（５８ａ、５８ｂ）が固着されている。バネポスト５７とバネポスト５８の間には、それぞれ引きバネ５９（５９ａ、５９ｂ）が掛け渡されている。この引きバネ５９（５９ａ、５９ｂ）は、回動支持部材５４を、支持軸５６を支点にして矢印Ｇで示す回動桿Ｂ２５の中心線方向に回動するように付勢している。
【００８２】
更に、ブレーキ基台３５ａには、電磁ソレノイド６１（６１ａ、６１ｂ）が配設され、この電磁ソレノイド６１の図では陰になって見えないピストン軸によって回動支持部材５４の動作が規制されている。また、ブレーキ基台３５ａは、引きバネ６２によって常にロール紙支持基台２２方向へ付勢されている。
【００８３】
また、本実施例２においても、実施例１の場合と同様に、ブレーキローラ５３の端部にトルクリミッタを配設するようにしても良い。
【００８４】
続いて、本実施例２において電源の供給が停止したときの動作について説明する。電源の供給が停止したときには、実施例１の場合と同様に直動式電磁ソレノイド４９のピストン軸５１がソレノイド内に退入し、フック部４４ａがピルドン軸５１から外れる。
【００８５】
これにより、ブレーキ基台３５ａとフック係合基台４７との係合が解除され、引きバネ６２の引き付勢力によってロール紙支持基台２２方向に付勢されていたブレーキ基台３５が、スライドガイド３４（図４、図７参照）を介して回動桿Ｂ２５に沿って、矢印Ｙで示すロール紙支持基台２２方向、すなわち、ロール紙５の方向へ移動する。
【００８６】
これと同時に、ソレノイド６１（６１ａ、６１ｂ）のピストン軸がソレノイド内に退入し、回動支持部材５４が規制を解除される。この規制の解除により、回動支持部材５４は引きバネ５９の付勢力により、支持軸５６を支点にして回動桿Ｂ２５の中心線方向に回動する。
【００８７】
ブレーキローラ５３（５３ａ、５３ｂ）は、回動支持部材５４に支持されて回動しても、お互いに接触することはなく、引きバネ５９の付勢力がなくなる位置で停止する。そして、ブレーキ基台３５ａが引きバネ６２によりロール紙５の方向に引かれているため、ブレーキローラ５３はロール紙５方向に移動する。
【００８８】
ブレーキローラ５３は、ロール紙５の外周面５ｂに当接すると、ロール紙５の外周面５ｂに沿って開くように矢印Ｇ方向とは逆方向に回動し、ロール紙５の外周面５ｂに最適な付勢が掛けられる位置で停止する。
【００８９】
引きバネ６２の引張力は、ブレーキローラ５３ａ及び５３ｂがロール紙５の外周面５ｂに当接後、その外周面５ｂに沿って、引きバネ６２の引張力に抗して広がることができるような引張力に設定されている。
【００９０】
本実施例２の構成によれば、以下の効果を奏する。ロール紙の外周面に当接するブレーキローラを増やすことにより、ブレーキローラが１本のときよりも摩擦力が増し、ロール紙を停止し易くさせることができる。ブレーキローラによる当接力を２本に分散させることにより、ロール紙の外周面にある連続紙の損傷を低減させることができる。
（実施例２の変形例）
【００９１】
図９は、本発明の実施例２の変形例に係るロール紙供給装置のブレーキ機構の側面図である。なお、図９に示すブレーキ機構以外のロール紙供給装置の各部の構成及びその動作は、図１、図２及び図６に示した構成及び動作と同一である。
【００９２】
また、図９には、実施例２の構成と同一構成部分には、説明に必要な部分にのみ図８と同一の番号を付与して示し、他の部分への番号の付与は省略し、変形例として新たに付加された構成部分には新たな番号を付与して示している。
【００９３】
図９に示すように、実施例２の変形例におけるブレーキローラ５３ａ及び５３ｂには、布などの伸縮性のある平坦なシート状の素材からなる無端ベルト６３が掛け渡されている。この無端ベルト６３は、２個のテンションローラ６４によってテンションが掛けられている。
【００９４】
これらのテンションローラ６４の軸には、それぞれ引きバネ６５の一端が係止し、引きバネ６５の他端は、ブレーキ基台３５ａに固設された２個のバネポスト６６にそれぞれ係止している。なお、テンションローラ６４、バネ６５、およびバネポスト６６は回動支持部材５４に干渉しない位置に設置されている。
【００９５】
本変形例の動作では、ブレーキローラ５３ａ及び５３がロール紙５の外周面５ａに当接すると同時に無端ベルト６３の対向面がロール紙５の外周面５ｂに密着する。
【００９６】
本変形例の構成にあっては、次の効果を奏する。実施例２の形態に比べて、無端ベルトとしてシート状のものをロール紙の外周面に当接させることでロール紙の外周面とブレーキ機構との接触面積が増し、ロール紙の回転をより停止し易くさせることができる。また、接触面積を増やすことにより、少ない当接力でロール紙の回転を停止させることができる。
【実施例３】
【００９７】
図１０は、本発明の実施例３に係るロール紙供給装置の全体正面図である。なお、本例において基本的な構成は図１及び図２に示した実施例１の場合と同様であり、ブレーキ機構の位置とブレーキ機構がロールへ当接する方法が実施例１の場合と異なるので、この相違点に絞って以下に説明する。
【００９８】
直動式シリンダ機構１８のモータ１４を、電源の供給停止時にも動作させることができるように、コンデンサ等のバッテリを内蔵している電源ユニット６７を配設する。また、ロール紙５の下方に、フレーム６８（６８ａ、６８ｂ）で支持されるローラ６９（６９ａ、６９ｂ）を配設する。
【００９９】
さらに、これらのローラ間の中央下方に、押しバネ７１で下方に付勢されているテンションローラ７２を配設する。そして、２個のローラ６９とテンションローラ７２の３つのローラ間に無端ベルト７３を掛け渡す。この無端ベルト７３も布などの伸縮性のある平坦なシート状の素材からなる無端ベルトである。
【０１００】
この実施例３における動作を説明する。先ず、電源の供給が停止すると、電源ユニット６７に蓄えられていた電力によって、直動式シリンダ機構１８のモータ１４が動作し、シリンダ軸１７を矢印Ａで示す図の左方向に移動させる。
【０１０１】
シリンダ軸１７が移動すると、シリンダ軸１７に連結されている回動桿Ａ２１および回動桿Ａ２１にロール紙支持基台２２を介して連結されている回動桿Ｂ２５が、それぞれ矢印Ｂ及びＣで示す架台１３方向に回動する。
【０１０２】
この回動に従って、ロール紙支持基台２２が下降する。すなわち、ロール紙支持基台２２に保持されているロール紙５も同時に下降する。この下降量は、電源供給停止前に記憶したロール紙５の外径検出情報にもとづいて決定される。これにより、ロール紙５は、無端ベルト７３に圧接する。
【０１０３】
本実施例３の構成にあっては、次の効果を奏する。先ず、ロール紙の外径と無端ベルトが密着し、摩擦抵抗が大きくなるため、ロール紙を小さい力で停止させることができる。また、ブレーキ機構の構成が簡単である。
【０１０４】
本発明の各実施例によれば、回転慣性のトルクが最も小さく働くロール紙の外径にブレーキローラを当てつけてロール紙の回転を停止させるので、小さい力でロール紙を停止させることができる。また、電源の供給停止のときのために圧縮空気生成装置や空気配管流路を配設する等の必要がないので、全体に簡単な構造でロール紙を停止させることができる。
【０１０５】
更に、ロール軸の周辺に回転停止用の部材を配設する必要がないため、ロールの交換作業の際に邪魔なものがなく、ロールの着脱が円滑に行えて作業効率の良いロール紙供給装置を提供することが可能となる。
【産業上の利用可能性】
【０１０６】
本発明は、ロール紙を回転可能に支持し、画像記録装置の印刷部などに向けて供給するロール紙供給装置、及び当該ロール紙供給装置を備えた画像記録装置に利用することができる。
【符号の説明】
【０１０７】
１  連続紙印刷装置
２  プリンタ本体
３  ロール紙供給装置
４  排出装置
５  ロール紙  
５ｂ、５ｃ、５ｄ  ロール紙外周面
６  巻き癖除去装置
７（７ａ、７ｂ）  ヘッド部
８（８ａ、８ｂ）  クリーニング部
９（９ａ、９ｂ）  ドラム
１０  ローラ
１１  カッターユニット
１２  収納ユニット
１３  架台
１４  モータ
１５  ヒンジ
１６  シリンダ
１７  シリンダ軸
１８  直動式シリンダ機構
１９  ヒンジ
２１  回動桿Ａ
２２  ロール紙支持基台
２３、２４  ヒンジ
２５  回動桿Ｂ
２６  スリット
２７  ブレーキ機構
２８  ヒンジ
３１  支持部
３２、３３  ギア
３４  スライドガイド
３５、３５ａ  ブレーキ基台
３６  トルクリミッタ
３７  ブレーキローラ
３８  軸
３９  ベアリング
４１  バネポスト
４２  引きバネ
４３  支持ピン
４４  フック部材
４４ａ  フック部
４５  引きバネ
４６  バネポスト
４７  フック係合基台
４８  ブラケット
４９  直動式電磁ソレノイド
５１  ピストン軸
５２  手動用レバー
５３（５３ａ、５３ｂ）  ブレーキローラ
５４（５４ａ、５４ｂ）  回動支持部材
５５（５５ａ、５５ｂ）  ローラ軸
５６  支持軸
５７（５７ａ、５７ｂ）  バネポスト
５８（５８ａ、５８ｂ）  バネポスト
５９（５９ａ、５９ｂ）  引きバネ
６１（６１ａ、６１ｂ）  電磁ソレノイド
６２  引きバネ
６３  無端ベルト
６４  テンションローラ
６５  引きバネ
６６  バネポスト
６７  電源ユニット
６８（６８ａ、６８ｂ）  フレーム
６９（６９ａ、６９ｂ）  ローラ
７１  押しバネ
７２  テンションローラ
７３  無端ベルト
【図１】
2011079651.tif 000003
【図２】
2011079651.tif 000004
【図３Ａ】
2011079651.tif 000005
【図３Ｂ】
2011079651.tif 000006
【図４】
2011079651.tif 000007
【図５】
2011079651.tif 000008
【図６】
2011079651.tif 000009
【図７】
2011079651.tif 000010
【図８】
2011079651.tif 000011
【図９】
2011079651.tif 000012
【図１０】
2011079651.tif 000013